(57)【特許請求の範囲】
【請求項１】
測定箱と前記測定箱の中に設置された作業空間とを含み、前記作業空間の後壁には前後に貫通した定位孔が設置され、箸を前記定位孔から前記作業空間の中に挿入し、前記測定箱の中には前方に開口した測定空間が設置され、前記測定空間の中には回転できる回転盤が設置され、前記回転盤の前端面には置き箱が固定的に設置され、前記置き箱の中には置き空間が設置され、前記置き空間の中には蛍光測定器が取り外し可能に装着され、前記蛍光測定器が初期状態において蓋が開けた状態にあり、且つ開口が左方に向き、
前記作業空間の後壁の中には装着孔が設置され、前記装着孔が前記定位孔の上側に位置し、且つ前後に貫通し、前記作業空間の中には左右に移動できる装着ブロックが上下対称的に設置され、前記装着ブロックはそれぞれ前記装着ブロックの上下側に位置し、前記装着ブロックには第一電動押しロッドが固定的に設置され、上下の前記第一電動押しロッドにおいて対向した側には左挟み板が固定的に装着され、前記作業空間の中には上下に運動できる回転箱が設置され、前記回転箱が回転でき、前記回転箱の中には左方に開口した操作空間が設置され、前記操作空間の後壁にはガイド板が固定的に設置され、前記ガイド板の中にはガイド溝が形成され、前記ガイド溝の中にはガイドロッドがスライドできるように装着され、前記ガイドロッドは前記ガイド溝に沿って運動することができ、前記ガイドロッドの中には左方に開口した装着空間が設置され、前記装着孔から前記作業空間の中に入れ、前記綿棒のチューブを前記装着空間の中に配置される綿棒のチューブと、前記綿棒の中にあり前記箸を拭く拭きロッドと、前記拭きロッドが前記箸を拭いた後に、前記ガイド溝に沿って運動し、前記チューブを曲げて、前記チューブの中の測定用液体を測定管の中に入れる前記ガイドロッド、前記ガイドロッドの中には前記装着空間と連通した押しロッド空間が設置され、前記押しロッド空間の中には第二電動押しロッドが設置されていることを特徴とする食器清浄度の測定設備。
【請求項２】
前記操作空間の後壁には第一電動ガイドレールが固定的に設置され、前記定位ロッドが前記第一電動ガイドレールに装着され、前記ガイドロッドの右端面には伝動ロッドが固定的に設置され、前記伝動ロッドが前記定位ロッドの上側に位置することを特徴とする請求項１に記載の食器清浄度の測定設備。
【請求項３】
前記作業空間の後壁にはばね溝が形成され、前記ばね溝の中には上下にスライドできる運動ブロックが設置され、前記運動ブロックの上端面にはモータが固定的に設置され、前記モータの上側には動力軸が伝動できるように連結され、前記動力軸と前記回転箱の下端面とは固定的に連結されていることを特徴とする請求項１に記載の食器清浄度の測定設備。
【請求項４】
前記作業空間の頂壁には第三電動押しロッドが固定的に設置され、前記電動押しロッドが作動した後に前記回転箱を下方へ押すことができ、前記運動ブロックと前記ばね溝の底壁との間にはばねが設置されていることを特徴とする請求項３に記載の食器清浄度の測定設備。
【請求項５】
前記操作空間の上下壁には第四電動押しロッドが対称的に、且つ固定的に設置され、前記第四電動押しロッドにおいて対向した一端には前記綿棒をしっかりと挟める右挟みブロックが装着されていることを特徴とする請求項１に記載の食器清浄度の測定設備。
【請求項６】
前記作業空間の後壁には第二電動ガイドレールが上下対称的に、且つ固定的に設置され、前記装着ブロックが前記第二電動ガイドレールに装着されていることを特徴とする請求項１に記載の食器清浄度の測定設備。
【請求項７】
前記測定空間の後壁には旋転モータが固定的に設置され、前記旋転モータの前側には旋転軸が伝動できるように連結され、前記旋転軸と前記回転盤の後端面とは固定的に連結されていることを特徴とする請求項１に記載の食器清浄度の測定設備。
【請求項８】
前記作業空間の後壁には第三電動ガイドレールが固定的に設置され、前記第三電動ガイドレールの前側には連結ロッドが装着され、前記連結ロッドの右端には押し板が固定的に設置され、前記押し板は前記蓋を右方へ押し動かすことができることを特徴とする請求項１に記載の食器清浄度の測定設備。
【請求項９】
前記左挟み板が弧状板であり、綿棒の測定管と密着できることを特徴とする請求項１に記載の食器清浄度の測定設備。
【発明の詳細な説明】
【技術分野】
【０００１】
本願発明は細菌検出技術分野を取り上げて、具体的には食器清浄度の測定設備である。
【背景技術】
【０００２】
現段階で、食器の表面の清浄度は、一般に食器の表面に含まれる細菌の量を検出することによって判断される。細菌の量は一般にＡＴＰ蛍光検出器によって検出され、綿棒で食器の表面を拭き、そして当該綿棒が検出用の蛍光検出器に置かれて測定を受ける。この測定方法は簡単で便利であるが、操作者の不適切な操作によって測定結果に影響を与える恐れがある。上記の問題を解決するために、本願発明を開示した。
【先行技術文献】
【特許文献】
【０００３】
【特許文献１】中国特許出願公開第１０７３８９６４７号明細書
【発明の概要】
【発明が解決しようとする課題】
【０００４】
本願発明は食器清浄度の測定設備を提供し、上記の問題を解決することを目的とする。
【課題を解決するための手段】
【０００５】
本願発明は以下の技術プランを通じて実現し、
本願発明の食器清浄度の測定設備は、測定箱と前記測定箱の中に設置された作業空間とを含み、前記作業空間の後壁には前後に貫通した定位孔が設置され、箸を前記定位孔から前記作業空間の中に挿入し、前記測定箱の中には前方に開口した測定空間が設置され、前記測定空間の中には回転できる回転盤が設置され、前記回転盤の前端面には置き箱が固定的に設置され、前記置き箱の中には置き空間が設置され、前記置き空間の中には蛍光測定器が取り外し可能に装着され、前記蛍光測定器が初期状態において蓋が開けた状態にあり、且つ開口が左方に向き、
前記作業空間の後壁の中には装着孔が設置され、前記装着孔が前記定位孔の上側に位置し、且つ前後に貫通し、前記作業空間の中には左右に移動できる装着ブロックが上下対称的に設置され、前記装着ブロックはそれぞれ前記装着ブロックの上下側に位置し、前記装着ブロックには第一電動押しロッドが固定的に設置され、上下の前記第一電動押しロッドにおいて対向した側には左挟み板が固定的に装着され、前記作業空間の中には上下に運動できる回転箱が設置され、前記回転箱が回転でき、前記回転箱の中には左方に開口した操作空間が設置され、前記操作空間の後壁にはガイド板が固定的に設置され、前記ガイド板の中にはガイド溝が形成され、前記ガイド溝の中にはガイドロッドがスライドできるように装着され、前記ガイドロッドは前記ガイド溝に沿って運動することができ、前記ガイドロッドの中には左方に開口した装着空間が設置され、前記装着孔から前記作業空間の中に入れ、前記綿棒のチューブを前記装着空間の中に配置される綿棒のチューブと、前記綿棒の中にあり前記箸を拭く拭きロッドと、前記拭きロッドが前記箸を拭いた後に、前記ガイド溝に沿って運動し、前記チューブを曲げて、前記チューブの中の測定用液体を測定管の中に入れる前記ガイドロッド、前記ガイドロッドの中には前記装着空間と連通した押しロッド空間が設置され、前記押しロッド空間の中には第二電動押しロッドが設置されている。
【０００６】
好ましくは、前記操作空間の後壁には第一電動ガイドレールが固定的に設置され、前記定位ロッドが前記第一電動ガイドレールに装着され、前記ガイドロッドの右端面には伝動ロッドが固定的に設置され、前記伝動ロッドが前記定位ロッドの上側に位置する。
【０００７】
好ましくは、前記作業空間の後壁にはばね溝が形成され、前記ばね溝の中には上下にスライドできる運動ブロックが設置され、前記運動ブロックの上端面にはモータが固定的に設置され、前記モータの上側には動力軸が伝動できるように連結され、前記動力軸と前記回転箱の下端面とは固定的に連結されている。
【０００８】
好ましくは、前記作業空間の頂壁には第三電動押しロッドが固定的に設置され、前記電動押しロッドが作動した後に前記回転箱を下方へ押すことができ、前記運動ブロックと前記ばね溝の底壁との間にはばねが設置されている。
【０００９】
好ましくは、前記操作空間の上下壁には第四電動押しロッドが対称的に、且つ固定的に設置され、前記第四電動押しロッドにおいて対向した一端には前記綿棒をしっかりと挟める右挟みブロックが装着されている。
【００１０】
好ましくは、前記作業空間の後壁には第二電動ガイドレールが上下対称的に、且つ固定的に設置され、前記装着ブロックが前記第二電動ガイドレールに装着されている。
【００１１】
好ましくは、前記測定空間の後壁には旋転モータが固定的に設置され、前記旋転モータの前側には旋転軸が伝動できるように連結され、前記旋転軸と前記回転盤の後端面とは固定的に連結されている。
【００１２】
好ましくは、前記作業空間の後壁には第三電動ガイドレールが固定的に設置され、前記第三電動ガイドレールの前側には連結ロッドが装着され、前記連結ロッドの右端には押し板が固定的に設置され、前記押し板は前記蓋を右方へ押し動かすことができる。
【００１３】
好ましくは、前記左挟み板が弧状板であり、綿棒の測定管と密着できる。
【発明の効果】
【００１４】
本願発明の有益効果は：本願発明は箸を専門に測定し、本願発明の中には蛍光測定器が設置され、本願発明は自動的に綿棒を使用して箸の表面を拭き、また、チューブを自動的に曲げ、そして綿棒を蛍光測定器の中に装着して測定を行い、自動化測定を実現し、操作者の不適切な操作によって測定結果に影響を与えることを避け、測定結果の正確性を上げられる。
【図面の簡単な説明】
【００１５】
下記に図１〜６をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１６】
【図１】図１は本願発明の全体構成模式図
【図２】図２は図１のＡ―Ａの構成模式図
【図３】図３は図１のＢ―Ｂの構成模式図
【図４】図４は図１のＣ―Ｃの構成模式図
【図５】図５は図１の綿棒の構成模式図
【図６】図６は図１のＤの構成模式図
【発明を実施するための形態】
【００１７】
図１〜６を参照し、本願発明の食器清浄度の測定設備は、測定箱１０と前記測定箱１０の中に設置された作業空間１１とを含み、前記作業空間１１の後壁には前後に貫通した定位孔２４が設置され、箸２３を前記定位孔２４から前記作業空間１１の中に挿入し、前記測定箱１０の中には前方に開口した測定空間１４が設置され、前記測定空間１４の中には回転できる回転盤１７が設置され、前記回転盤１７の前端面には置き箱１５が固定的に設置され、前記置き箱１５の中には置き空間１６が設置され、前記置き空間１６の中には蛍光測定器１３が取り外し可能に装着され、前記蛍光測定器１３が初期状態において蓋１２が開けた状態にあり、且つ開口が左方に向き、
前記作業空間１１の後壁の中には装着孔２５が設置され、前記装着孔２５が前記定位孔２４の上側に位置し、且つ前後に貫通し、前記作業空間１１の中には左右に移動できる装着ブロック２７が上下対称的に設置され、前記装着ブロック２７はそれぞれ前記装着ブロック２５の上下側に位置し、前記装着ブロック２７には第一電動押しロッド２８が固定的に設置され、上下の前記第一電動押しロッド２８において対向した側には左挟み板２９が固定的に装着され、前記作業空間１１の中には上下に運動できる回転箱３３が設置され、前記回転箱３３が回転でき、前記回転箱３３の中には左方に開口した操作空間３４が設置され、前記操作空間３４の後壁にはガイド板３８が固定的に設置され、前記ガイド板３８の中にはガイド溝３９が形成され、前記ガイド溝３９の中にはガイドロッド３２がスライドできるように装着され、前記ガイドロッド３２は前記ガイド溝３９に沿って運動することができ、前記ガイドロッド３２の中には左方に開口した装着空間４３が設置され、前記装着孔２５から前記作業空間１１の中に入れ、前記綿棒３０のチューブ４２を前記装着空間４３の中に配置される綿棒３０のチューブ４２と、前記綿棒３０の中にあり前記箸２３を拭く拭きロッド５３と、前記拭きロッド５３が前記箸３０を拭いた後に、前記ガイド溝３９に沿って運動し、前記チューブ４２を曲げて、前記チューブ４２の中の測定用液体を測定管４６の中に入れる前記ガイドロッド３２、前記ガイドロッド３２の中には前記装着空間４３と連通した押しロッド空間４５が設置され、前記押しロッド空間４５の中には第二電動押しロッド４４が設置されている。
【００１８】
有益的には、前記操作空間３４の後壁には第一電動ガイドレール３７が固定的に設置され、前記定位ロッド３５が前記第一電動ガイドレール３７に装着され、前記ガイドロッド３２の右端面には伝動ロッド３６が固定的に設置され、前記伝動ロッド３６が前記定位ロッド３５の上側に位置する。
【００１９】
有益的には、前記作業空間１１の後壁にはばね溝２１が形成され、前記ばね溝２１の中には上下にスライドできる運動ブロック５０が設置され、前記運動ブロック５０の上端面にはモータ４９が固定的に設置され、前記モータ４９の上側には動力軸３１が伝動できるように連結され、前記動力軸３１と前記回転箱３３の下端面とは固定的に連結されている。
【００２０】
有益的には、前記作業空間１１の頂壁には第三電動押しロッド４０が固定的に設置され、前記電動押しロッド４０が作動した後に前記回転箱３３を下方へ押すことができ、前記運動ブロック５０と前記ばね溝２１の底壁との間にはばね２２が設置されている。
【００２１】
有益的には、前記操作空間３４の上下壁には第四電動押しロッド４８が対称的に、且つ固定的に設置され、前記第四電動押しロッド４８において対向した一端には前記綿棒３０をしっかりと挟める右挟みブロック４７が装着されている。
【００２２】
有益的には、前記作業空間１１の後壁には第二電動ガイドレール２６が上下対称的に、且つ固定的に設置され、前記装着ブロック２７が前記第二電動ガイドレール２６に装着されている。
【００２３】
有益的には、前記測定空間１４の後壁には旋転モータ５１が固定的に設置され、前記旋転モータ５１の前側には旋転軸５２が伝動できるように連結され、前記旋転軸５２と前記回転盤１７の後端面とは固定的に連結されている。
【００２４】
有益的には、前記作業空間１１の後壁には第三電動ガイドレール１９が固定的に設置され、前記第三電動ガイドレール１９の前側には連結ロッド２０が装着され、前記連結ロッド２０の右端には押し板１８が固定的に設置され、前記押し板１８は前記蓋１２を右方へ押し動かすことができる。
【００２５】
有益的には、前記左挟み板２９が弧状板であり、綿棒３０の測定管４６と密着できる。
【００２６】
装置全体の作動手順は以下の通りである。
【００２７】
１、  箸２３を定位孔２４から作業空間１１の中に挿入する。
【００２８】
２、  綿棒３０のチューブ４２を装着空間４３の中に挿入し、第四電動押しロッド４８は作動し、右挟みブロック４７によって綿棒３０をしっかりと挟む。
【００２９】
３、  第二電動ガイドレール２６が作動し、装着ブロック２７を右方へ運動させて測定管４６の上側に至らせ、第一電動押しロッド２８が作動し、左挟み板２９を下降させ、そして測定管４６をしっかりと挟む。
【００３０】
４、  第二電動ガイドレール２６が作動し、装着ブロック２７を左方へ運動させ、左挟み板２９は測定管４６を駆動して左方へ運動させ、そして測定管４６が拭きトッド５３から離脱する。
【００３１】
５、  第三電動押しロッド４０が作動し、回転箱３３を下降させ、さらに拭きロッド５３を下降連動させ、拭きロッド５３と箸２３の上端面とは当接する。
【００３２】
６、  モータ４９が作動し、動力軸３１によって回転箱３３を連動させて一定の角度の範囲で循環に揺り動かし、ガイドロッド３２がチューブ４２によって拭きロッド５３を駆動し、拭きロッド５３が箸２３の上端面を拭いてサンプルを抽出する。
【００３３】
７、  サンプルの抽出が終わった後、第三電動押しロッド４０が作動して復帰し、回転箱３３が初期の高度に戻り、第二電動ガイドレール２６が作動し、測定管４６を拭きロッド５３に被せた後に初期位置に戻る。
【００３４】
８、  第一電動ガイドレール３７が作動し、定位ロッド３５を上昇させ、定位ロッド３５は伝動ロッド３６を上昇連動させ、ガイドロッド３２をガイド溝３９に沿って運動させ、チューブ４２を曲げ、チューブ４２の中の測定用液体が測定管４６の中に入る。
【００３５】
９、  第一電動ガイドレール３７が初期位置に戻り、モータ４９が作動し、回転箱３３を百八十度回転させ、第四電動押しロッド４８が作動し、右挟みブロック４７が互いに離れ、第二電動押しロッド４４が作動し、チューブ４２を圧迫し、綿棒３０が右方へ運動して蛍光測定器１３の中に挿入される。
【００３６】
１０、  旋転モータ５１が作動し、旋転軸５２によって回転盤１７を九十度回転させ、蓋１２を上側に運動させる。
【００３７】
１１、  第三電動ガイドレール１９が作動し、連結ロッド２０によって押し板１８を連動させて右方へ運動させ、押し板１８が蓋１２を右方へ押し、蛍光測定器１３の開口が閉鎖され、蛍光測定器１３が作動して測定を行う。
【００３８】
以上の実施例はあくまで本発明の技術的原理と特徴を説明するためのものであり、本分野の技術者に本発明を理解できることと実施できることを目的とし、本発明を限定するためのものではなく、本発明の意義と原則のもとで行われたいかなる修正と、等価置換と改善などは本発明の保護範囲に含まれるべきである。
【要約】
【課題】本願発明は食器清浄度の測定設備を開示した。
【解決手段】
測定箱と前記測定箱の中に設置された作業空間とを含み、前記作業空間の後壁には前後に貫通した定位孔が設置され、箸を前記定位孔から前記作業空間の中に挿入し、前記測定箱の中には前方に開口した測定空間が設置され、前記測定空間の中には回転できる回転盤が設置され、前記回転盤の前端面には置き箱が固定的に設置され、前記置き箱の中には置き空間が設置され、前記置き空間の中には蛍光測定器が取り外し可能に装着され、本願発明は箸を専門に測定し、本願発明の中には蛍光測定器が設置され、本願発明は自動的に綿棒を使用して箸の表面を拭き、また、チューブを自動的に曲げ、そして綿棒を蛍光測定器の中に装着して測定を行い、自動化測定を実現し、操作者の不適切な操作によって測定結果に影響を与えることを避け、測定結果の正確性を上げられる。
【選択図】図１【図１】
0006754063.tif 000002
【図２】
0006754063.tif 000003
【図３】
0006754063.tif 000004
【図４】
0006754063.tif 000005
【図５】
0006754063.tif 000006
【図６】
0006754063.tif 000007